(57)【特許請求の範囲】
【請求項１】
電話網中に音声会話チャンネルを確立し音声データのパケット伝送により移動電話機と相手方電話機を接続して会話を行うと共に、前記移動電話機の位置を前記相手方電話機に通知する位置情報送信システムであって、
前記移動電話機は、
会話時に音声と電気信号の変換を行う音声変換部と、
会話中において自分の位置を相手方に教えたいとき押される、専用のキーとして設けられた位置送信ボタンと、
この位置送信ボタンが押されたとき位置情報の送信を指示する位置情報送信指示信号を出力する位置情報送信指示部と、
前記位置情報送信指示信号及び前記音声変換部において得られた電気信号を送信し、相手方からの音声の電気信号を受信する送受信部と、
電話をかける相手方電話機の電話番号、送受信の電子メールのアドレス、待ち受け画面及び地図を表示する表示部と、
電話番号及び前記電子メールのアドレスを入力するための数字及び記号を入力できるキー群と、を有し、
前記位置情報送信指示信号に基き前記移動電話機の位置を、前記音声会話チャンネルとは異なる位置情報チャンネルによりサーバを介して前記相手方電話機に送信し、前記会話中に前記相手方電話機の表示画面において前記移動電話機の位置をその位置が含まれる地図と共に表示することを特徴とする位置情報送信システム。
【請求項２】
電話網中に音声会話チャンネルを確立し音声データのパケット伝送により移動電話機と相手方電話機を接続して会話を行うと共に、前記移動電話機の位置を前記相手方電話機に通知する位置情報送信システムであって、
前記移動電話機は、
会話時に音声と電気信号の変換を行う音声変換部と、
会話中において自分の位置を相手方に教えたいとき押される、専用のキーとして設けられた位置送信ボタンと、
この位置送信ボタンが押されたとき位置情報の送信を指示する位置情報送信指示信号を出力する位置情報送信指示部と、
前記位置情報送信指示信号及び前記音声変換部において得られた電気信号を送信し、相手方からの音声の電気信号を受信する送受信部と、
電話をかける相手方電話機の電話番号、送受信の電子メールのアドレス、待ち受け画面及び地図を表示する表示部と、
電話番号及び前記電子メールのアドレスを入力するための数字及び記号を入力できるキー群と、を有し、
前記位置情報送信指示信号に基き前記移動電話機の位置を、前記音声会話チャンネル中に、位置情報データとこのデータが位置情報であることを示す識別コードから成る位置情報パケットとしてサーバを介して前記相手方電話機に送信し、前記会話中に前記相手方電話機の表示画面において前記移動電話機の位置をその位置が含まれる地図と共に表示することを特徴とする位置情報送信システム。
【発明の詳細な説明】
【０００１】
【発明の属する技術分野】
本発明は、移動電話機により現在位置の情報を送信する位置情報送信システムに関する。
【０００２】
本発明において、移動電話機とは、例えば携帯電話、ＰＨＳ、やＧＳＭ、ＰＤＣ、ＩＭＴ−２０００など次世代電話のように、所定の場所に限らず、任意の地点において相手方と会話ができる電話機を言う。
【０００３】
【従来の技術】
従来、ＰＨＳを保持している者が、このＰＨＳにより現在位置を特定し他人に送信するものはあった。しかし、実際には相手方と会話中にその相手に自分の現在いる位置を知らせたい場合が多い。このような場合、従来では一旦会話を終了し相手に現在位置を知らせた後、再び相手に電話する必要があり、非常に不便であった。
【０００４】
【発明が解決しようとする課題】
上述のように、従来の移動電話機では、会話中に自分の位置を相手方に知らせたい場合、電話を一旦切って自分の現在位置を送信し、その後再び相手方に電話する必要あり、非常に不便であった。
【０００５】
本発明はこのような場合に会話を中断することなく相手方に自分の現在位置を送信できる位置情報送信システムを提供することを目的とする。
【０００６】
【課題を解決するための手段】
上記目的を達成するためには、本発明の請求項１によれば、電話網中に音声会話チャンネルを確立し音声データのパケット伝送により移動電話機と相手方電話機を接続して会話を行うと共に、前記移動電話機の位置を前記相手方電話機に通知する位置情報送信システムであって、前記移動電話機は、会話時に音声と電気信号の変換を行う音声変換部と、会話中において自分の位置を相手方に教えたいとき押される、専用のキーとして設けられた位置送信ボタンと、この位置送信ボタンが押されたとき位置情報の送信を指示する位置情報送信指示信号を出力する位置情報送信指示部と、前記位置情報送信指示信号及び前記音声変換部において得られた電気信号を送信し、相手方からの音声の電気信号を受信する送受信部と、電話をかける相手方電話機の電話番号、送受信の電子メールのアドレス、待ち受け画面及び地図を表示する表示部と、電話番号及び前記電子メールのアドレスを入力するための数字及び記号を入力できるキー群と、を有し、前記位置情報送信指示信号に基き前記移動電話機の位置を、前記音声会話チャンネルとは異なる位置情報チャンネルによりサーバを介して前記相手方電話機に送信し、前記会話中に前記相手方電話機の表示画面において前記移動電話機の位置をその位置が含まれる地図と共に表示することを特徴とする位置情報送信システムを提供する。
【０００７】
本発明の請求項２によれば、電話網中に音声会話チャンネルを確立し音声データのパケット伝送により移動電話機と相手方電話機を接続して会話を行うと共に、前記移動電話機の位置を前記相手方電話機に通知する位置情報送信システムであって、前記移動電話機は、会話時に音声と電気信号の変換を行う音声変換部と、会話中において自分の位置を相手方に教えたいとき押される、専用のキーとして設けられた位置送信ボタンと、この位置送信ボタンが押されたとき位置情報の送信を指示する位置情報送信指示信号を出力する位置情報送信指示部と、前記位置情報送信指示信号及び前記音声変換部において得られた電気信号を送信し、相手方からの音声の電気信号を受信する送受信部と、電話をかける相手方電話機の電話番号、送受信の電子メールのアドレス、待ち受け画面及び地図を表示する表示部と、電話番号及び前記電子メールのアドレスを入力するための数字及び記号を入力できるキー群と、を有し、前記位置情報送信指示信号に基き前記移動電話機の位置を、前記音声会話チャンネル中に、位置情報データとこのデータが位置情報であることを示す識別コードから成る位置情報パケットとしてサーバを介して前記相手方電話機に送信し、前記会話中に前記相手方電話機の表示画面において前記移動電話機の位置をその位置が含まれる地図と共に表示することを特徴とする位置情報送信システムを提供する。
【００１２】
なお、本発明において、「相手方との会話中」とは、相手方と会話をするために電話網内に音声会話チャンネルを確立した以降からこの会話のためのチャンネルを閉じるまでを意味する。
【００１３】
【発明の実施の形態】
以下、本発明の実施形態を図面を用いて説明する。
【００１４】
図１に、本発明の一実施形態の構成例を示し、図２に処理の流れを示す。図１において簡易型携帯電話（Personal Handy-Phone System;ＰＨＳ）１１は、基地局１２ａ，１２ｂ及び電話網１３（移動電話網を含む）を介して相手方ＰＨＳ１４と会話が可能である。ＰＨＳ１１，１４はそれらの表示部において地図及びその地図における任意の位置を表示できる。
【００１５】
ＰＨＳ１１は、会話時に電気信号と音声の変換を行う音声変換部１５と、会話中自分の位置を相手方に教えたいとき押される位置送信ボタン１６と、このボタン１６が押されたとき位置情報の送信を指示する位置情報送信指示部１７と、この位置情報指示信号や上記音声変換部１５にて得られた電気信号を送信し相手方からの音声の電気信号を受信する送受信部１８とから成る。
【００１６】
このＰＨＳ１１は、例えば図３に示す外観を有している。即ち、電話をかけるときの相手方電話番号や待ち受け画面や送受信の電子メール、更に地図などを表示する表示部３１と、電話番号の数字や記号などを入力できるキー群３２と、位置情報を相手方に知らせたいときに押す上述の位置送信ボタン１６などから成っている。
【００１７】
図１において、電話網１３は、音声会話の信号をパケットとして伝送するための音声会話チャンネル２１を設定でき、また、基地局１２ａからの位置情報を一般的な位置情報に変換する位置情報サーバ２２を介して相手方に位置情報をパケットとして送る位置情報チャンネル２３が設定できる。
【００１８】
次に、図２を用いて図１に示したシステムの動作を説明する。ＰＨＳ１１の使用者が相手方ＰＨＳ１４の使用者と会話中に、自分がどこにいるかを知らせる必要がでてきたとする。このとき、図２のステップＳ２１でＰＨＳ１４の使用者は位置送信ボタン１６を押す。すると、位置情報送信指示部１７が作動して位置情報送信のための指示信号が送受信部１８に送られ、基地局１２ａに送信される。基地局１２ａでは、自己の基地局ＩＤとそのエリア内のＰＨＳ１１の位置を特定し、パケットとして電話網１３を介して位置情報サーバ２２に送る。
【００１９】
ステップＳ２２で、位置情報サーバ２２では、送られてきたＰＨＳの位置情報を基地局の位置に依存しない普遍的な位置情報、例えば緯度及び経度により一意に定まる位置情報に変換する。そしてその位置が含まれる地図情報を特定する。
【００２０】
その後、ステップＳ２３で位置情報サーバ２２は、位置情報チャンネル２３を通して相手方ＰＨＳ１４に、変換された位置情報とその位置が含まれる地図を送る。ステップＳ２４で相手方ＰＨＳ１４では、位置情報チャンネルを通して送られてきた地図及びその地図上でＰＨＳ１１が存在する位置、即ちＰＨＳ１１を使って自分と会話をしている相手のいる場所を知ることができる。この間、ＰＨＳ１１と相手方ＰＨＳ１４の会話は維持されている。
【００２１】
会話中の相手方もＰＨＳを使用しているものとしたが、位置情報が表示あるいは通知されるものであれば、携帯電話でも通常の電話であってもよい。
【００２２】
また、上記実施形態では地図情報も送って相手方のＰＨＳにて表示していた。このように地図情報も位置情報と共に送って画面に表示すれば相手方は話し相手のいる場所を容易に理解できる。しかし、地図情報を送ることなく位置情報のみを送り、最寄の駅名は地名とそこからの離れている距離，方向を表示するようにすることもできる。
【００２３】
また、上記実施形態では、ＰＨＳにおいて位置情報が送信され、位置情報サーバにおいて位置補正も含めて普遍的な位置情報に変換されたが、外部の位置情報サーバの支援を受けてＰＨＳの現在位置の位置情報を特定し、ＰＨＳから普遍的な位置情報を送信するようにしてもよい。
【００２４】
ところで、上記実施形態ではＰＨＳを用いる場合であったが、携帯電話を用いて位置情報を送ることもできる。このような本発明の実施形態について次に説明する。
【００２５】
この実施形態の構成を図４に示す。
。図４において４１は、ＧＰＳ（Global Positioning System)付の携帯電話であり、電話網４２を介して相手方携帯電話４３と会話が可能である。携帯電話４１，４３はそれらの表示部において地図及びその地図における任意の位置を表示できる。
【００２６】
ＧＰＳ付携帯電話４１は、会話時に電気信号と音声の変換を行う音声変換部４５と、会話中自分の位置を相手方に教えたいとき押される位置送信ボタン４６と、このボタン４６が押されたとき現在位置を特定するＧＰＳ４７と、このＧＰＳにより特定された位置情報の送信を指示する位置情報送信指示部４８と、この位置情報指示信号や上記音声変換部４５にて得られた電気信号を送信し相手方からの音声の電気信号を受信する送受信部４９とから成る。
【００２７】
このＧＰＳ付携帯電話４１は、位置情報を相手方に知らせたいときに押す位置送信ボタン４６を外面に有し、他にも電話をかけるときの相手方電話番号や待ち受け画面や送受信の電子メール、更に地図などを表示する表示部と、電話番号の数字や記号などを入力できるキー群などから成っている。
【００２８】
図４において、電話網４２は、音声会話の信号をパケットとして伝送するための音声会話チャンネル４４ａを設定でき、また、相手方に位置情報をパケットとして送る位置情報チャンネル４４ｂが設定できる。
【００２９】
ＧＰＳ付携帯電話４１の使用者が相手方携帯電話４３の使用者と音声会話チャンネル４４ａを介して会話中に、自分がどこにいるかを知らせる必要がでてきたとする。
【００３０】
このとき、ＧＰＳ付携帯電話４１の使用者は位置送信ボタン４６を押す。すると、ＧＰＳ４７が作動して、この携帯電話４１の位置を特定する。この結果の位置情報は位置情報送信指示部４８に送られ、この位置情報とこの位置を含む地図情報が送受信部４９を介して電話網４２に送信される。電話網４２には位置情報チャンネル４４ｂが設定されパケットとして相手方携帯電話４３に送る。
【００３１】
相手方携帯電話４３では、送られてきたＧＰＳにより特定されたＧＰＳ付携帯電話４１の位置情報をその位置が含まれる地図情報と共に特定する。そして、相手方携帯電話４３の画面上に送られてきた地図及びその地図内でＧＰＳ付携帯電話４１の現在ある位置が表示される。このようにして、相手方携帯電話４３の使用者は、現在ＧＰＳ付携帯電話４１を使って自分と会話をしている相手のいる場所を知ることができる。この間、ＧＰＳ付携帯電話４１と相手方携帯電話４３の会話は維持されている。
【００３２】
この実施形態では、携帯電話を使用しており、その内蔵ＧＰＳによって自己の現在位置を特定しており、直接、普遍的な位置として知ることができるので、図１を用いて説明した実施形態のように、基地局のエリア内の位置から普遍的な位置情報に変換する必要はない。したがって、図１の位置情報サーバ２２のように途中で局地的な位置情報を普遍的な位置情報に変換する必要はないが、このサーバ位置を補正する場合は有り得る。
【００３３】
ただし、ＰＨＳや携帯電話により位置情報を相手方に知らせるとき、常に位置情報サーバを経由し、携帯電話から位置情報を知らせるとき、そのサーバを通過するだけにすることもできる。また、このサーバを通過するときにその位置情報を含む地図を追加するようにすることもできる。
【００３４】
この実施形態においても、相手方の使用する電話機は携帯電話に限らず、現在位置を通知できる移動電話機であればよい。
【００３５】
上述の実施形態ではいずれも、会話を行うために電話網の中に設定している音声会話チャンネル４４ａとは別に、位置情報を通知するための位置情報チャンネルを設けて位置情報を伝送していた。しかし、音声会話もパケットにより送っているならば、この音声会話チャンネルと同じチャンネルを介して、位置情報を会話情報のパケットは異なるパケットにより送ることもできる。この構成を図５に示す。ＧＰＳ付携帯電話５１が電話網５２を介して相手方ＰＨＳ５３と会話中には、音声会話チャンネル５４が設定され、音声情報がパケットとして送られているが、位置情報を相手方に知らせるとき、この音声チャンネル５４を使って位置情報を別パケットとして伝送することができ、このチャンネル５４は音声会話と位置情報の共用チャンネルになる。この場合のパケットの流れを図６に示す。
【００３６】
各パケットは識別コードとデータから成り、音声パケットは音声を示す識別コード６１ａに音声データ６２ａを付けて送り、その途中に挿入される位置情報パケットは位置情報を示すし識別コード６１ｂに位置情報データ６２ｂを付けて送る。相手方ＰＨＳ５３では、音声か位置情報かの識別コードにより分けて復号化することにより会話に影響をほとんど与えずに位置情報を送ることが可能になる。
【００３７】
なお、上記実施形態ではいずれも、会話中に位置情報を送るための位置送信ボタンを専用のキーとして設けていた。しかし、電話番号や電子メールの文章を入力するためのキーなどと兼用にしてもよく、兼用にすればキーの数を少なくすることができる。
【００３８】
また、位置情報を知らせるための手段は、ボタンやキーを設けなくても、携帯電話やＰＨＳの表示画面にメニューを表示させて、メニューの中で「位置情報通知」などの項目を選択することにより、位置情報を相手方に知らせるようにすることもできる。
【００３９】
本発明は上述の実施形態以外にも適用できる。例えば、会話の手段は携帯電話やＰＨＳなどの移動電話機だけでなく、固定の加入者電話機を用いてもよい。例えば、電話の相手が移動電話機から固定電話機の相手の家を訪問する途中で道に迷った場合、固定電話機から移動電話機に固定電話機の位置情報を転送することによって、移動電話機の使用者は固定電話機のある家への道順を知ることが可能となる。
【００４０】
この場合、固定電話機のある位置は既に知られているので、その位置の情報を予め、書き換え可能なＲＯＭなど、何らかの記憶装置に入力しておくだけでよい。
【００４１】
上記実施形態では、ＰＨＳ及び携帯電話の場合について説明したが、本発明はこれらに限られず、次世代電話などあらゆる移動電話機に適用することができる。
【００４２】
【発明の効果】
本発明によれば、会話を中断することなく相手方に自分の現在いる位置を送信できる位置情報送信システムを提供することことができる。
【図面の簡単な説明】
【図１】本発明の一実施形態の構成例を示す図。
【図２】本発明の一実施形態における動作の流れを示す図。
【図３】本発明一実施形態のＰＨＳの外観の例を示す図。
【図４】本発明の他の実施形態の構成例を示す図。
【図５】本発明において位置情報チャンネルを音声会話チャンネルと同一にした場合の構成例を示す図。
【図６】図５の場合のパケットの構成例を示す図。
【符号の説明】
１１・・・ＰＨＳ、１２ａ，１２ｂ・・・基地局、１３，４２・・・電話網、１４・・・相手方ＰＨＳ、１５・・・音声変換部、１６，４６・・・位置送信ボタン、１７，４８・・・位置情報送信指示部、１８，４９・・・送受信部、２１，４４ａ・・・音声会話チャンネル、２２・・・位置情報サーバ、２３，４４ｂ・・・位置情報チャンネル、４１・・・ＧＰＳ付携帯電話、４３・・・相手方携帯電話、４７・・・ＧＰＳ。
【図１】
0003959227.tif 000002
【図２】
0003959227.tif 000003
【図３】
0003959227.tif 000004
【図４】
0003959227.tif 000005
【図５】
0003959227.tif 000006
【図６】
0003959227.tif 000007